(57)【特許請求の範囲】
【請求項１】
メイクアップ化粧料を収容した容器本体と、該メイクアップ化粧料に塗布部が浸漬されている化粧料塗布具と、化粧料クリーナーの少なくともクリーニング部が、拭き取り面同士を接した状態で複数集積されて収容されているクリーナー収容部とを備えた化粧料用複合容器であって、
前記化粧料クリーナーは、塗布対象部位以外に付着したメイクアップ化粧料を除去するための化粧料用クリーナーであり、
前記クリーニング部と該クリーニング部を支持する支持軸とを有しており、前記クリーニング部は、前記メイクアップ化粧料を拭き取り可能な前記拭き取り面と、前記メイクアップ化粧料を掻き取り可能な稜線とを有する化粧料用複合容器。
【請求項２】
前記クリーニング部は、前記支持軸より幅広で且つ扁平な形状を有し、互いに平行な２平面及び該２平面間に位置する外周面を有しており、該２平面それぞれが前記拭き取り可能な拭き取り面であり、該２平面と前記外周面との境界部に生じた稜線が前記掻き取り可能な稜線である、請求項１記載の化粧料用複合容器。
【請求項３】
前記化粧料クリーナーの前記支持軸が、前記クリーナー収容部に収容されている前記クリーニング部とは別に収容されており、一の支持軸に対して、複数のクリーニング部を順次脱着可能に固定して使用することができるようになされている、請求項１又は２記載の化粧料用複合容器。
【発明の詳細な説明】
【技術分野】
【０００１】
本発明は化粧料用クリーナー及び化粧料用複合容器に関する。
【背景技術】
【０００２】
マスカラ液は、まつ毛をカールした状態に維持したり、まつ毛にボリューム感を付与したりするために、まつ毛に塗布されて用いられる。
マスカラ液の塗布に用いるマスカラ塗布具が種々提案されており、また、マスカラ塗布具をマスカラ液の収容容器と一体に収容できるようにした複合容器も提案されている（特許文献１参照）
【０００３】
しかし、マスカラ液の塗布時に、マスカラ液を、瞼等のまつ毛以外の部分に誤って付着させてしまうことがある。
そのような場合、市販の綿棒に油性クリームを付着させ、その綿棒を用いて、瞼に付着したマスカラ液を除去することが行われている。
しかし、そのような方法は、綿棒と油性クリームを用意する必要があり、また、綿棒に油性クリームを付着させる作業が必要であるなど手間と時間が掛かる。
また、マスカラ液は付着後すぐに除去しないと乾燥して落ちにくくなることもあり、市販の綿棒では効果的に除去することができない。
【０００４】
【特許文献１】特開２００３−３２５２２６号公報
【発明の開示】
【発明が解決しようとする課題】
【０００５】
従って、本発明の目的は、塗布対象部位以外に付着したメイクアップ化粧料を効果的に除去することのできる化粧料用クリーナーを提供することにある。
また、本発明の目的は、メイクアップ化粧料の塗布と、該メイクアップ化粧料が塗布対象部位以外に付着した場合の除去とを効率良く手軽に行うことのできる、化粧料用複合容器に関する。
【課題を解決するための手段】
【０００６】
本発明は、塗布対象部位以外に付着したメイクアップ化粧料を除去するための化粧料用クリーナーであって、クリーニング部と該クリーニング部を支持する支持軸とを有しており、前記クリーニング部は、前記メイクアップ化粧料を拭き取り可能な拭き取り面と、前記メイクアップ化粧料を掻き取り可能な稜線とを有している化粧料用クリーナーを提供することにより前記目的を達成したものである。
【０００７】
また、本発明は、メイクアップ化粧料を収容した容器本体と、該メイクアップ化粧料に塗布部が浸漬されている化粧料塗布具と、請求項１又は２記載の化粧料クリーナーの少なくとも前記クリーニング部が前記拭き取り面同士を接した状態で複数集積されて収容されているクリーナー収容部とを備えた化粧料用複合容器を提供することにより前記目的を達成したものである。
【発明の効果】
【０００８】
本発明の化粧料用クリーナーによれば、塗布対象部位以外に付着したメイクアップ化粧料を効果的に除去することができる。
本発明の化粧料用複合容器によれば、メイクアップ化粧料の塗布と、該メイクアップ化粧料が塗布対象部位以外に付着した場合の除去とを効率良く手軽に行うことができる。
【発明を実施するための最良の形態】
【０００９】
以下本発明を、その好ましい実施形態に基づき図面を参照しながら説明する。
図１は、本発明の化粧料用複合容器の一実施形態としてのマスカラ液用複合容器１の縦断面図であり、図２は、図１に示すマスカラ液用複合容器１を分離可能な部分に分離した状態が示されている。
【００１０】
本実施形態のマスカラ液用複合容器１は、図１〜図４に示すように、マスカラ液２１を収容した容部本体２と、該マスカラ液２１に塗布部３１が浸漬されている化粧料塗布具３と、クリーナー収容部４とを備えている。
容部本体２は、有底円筒状をなし、一端に開口する開口部２２が、該容部本体２の蓋体を兼ねる、化粧料塗布具３の把持部３２で液密に塞がれている。把持部３２は、化粧料塗布具３で、化粧料の塗布操作を行う際に手で把持する部分である。
本実施形態における化粧料塗布具３は、把持部３２と、塗布部３１と、該把持部３２に突設され該塗布部３１を支持する支持軸３３とを有してなる。
【００１１】
把持部３２は、容部本体２の開口部２２に、螺合等により脱着可能に装着されており、開口部２２を閉蓋した状態において、塗布部３１が容部本体２の内部に収容されたマスカラ液２１に浸るように構成されている。また、容器本体２の開口部２２近傍には、塗布部３１に付着した過剰量のマスカラ液を、該塗布部３１を引き抜く際にしごき落とすシゴキ部２３が設けられている。
【００１２】
本実施形態のマスカラ液用複合容器１は、略円柱状をなしており、長手方向の中央部付近から長手方向の両端それぞれに向かって直径がゆるやかに漸減している。
【００１３】
クリーナー収容部４は、容器本体２における、前記開口部２２側の端部とは反対側の端部に設けられている。
クリーナー収容部４には、図３に示す化粧料クリーナー５における、クリーニング部５１のみが、図４に示すように多数集積された状態で収容されている。
クリーナー収容部４は、有底円筒状の収容部形成体４１の内面と、容器本体２の底部２４と、該底部２４の周縁部に突設された環状壁部２５とに囲まれた空間として形成されている。収容部形成体４１は、その開口部周縁部が、前記環状壁部２５に対して螺合又は嵌合可能に形成されており、容器本体２に対して脱着可能である。
【００１４】
本マスカラ液用複合容器１は、図１に示すように、化粧料塗布具３の把持部３２の内部に、化粧料クリーナー５の支持軸５５が収容された支持軸収容部３４を有している。支持軸収容部３４は、一端に開口部を有し、蓋体を兼ねるクリーナー把持部５６が、その開口周縁部に対して螺合又は嵌合して外部との連通状態が遮断されている。
【００１５】
図３は、本実施形態における化粧料クリーナー５を示す斜視図である。
本実施形態の化粧料クリーナー５は、塗布対象部位以外に付着したマスカラ液（メイクアップ化粧料）を除去するためのものである。塗布対象部位は、塗布するメイクアップ化粧料の種類に応じて決まる。本実施形態のように、マスカラ液の場合、塗布対象部位はまつ毛であり、塗布対象部位以外の部位の代表例は瞼である。
尚、メイクアップ化粧料としては、マスカラ液の他に、マニキュア、液状の口紅、アイブロウ、液状のアイシャドウ等が挙げられ、それらの塗布対象部位は、マニキュアについては爪、液状の口紅については唇、アイブロウについては眉、液状のアイシャドウについては瞼である。
本発明は、液体として塗布可能であるが、塗布後に水や他の溶媒の揮発により固化するメイクアップ化粧料用に特に適している。
【００１６】
図３に示すように、本実施形態の化粧料クリーナー５は、クリーニング部５１と該クリーニング部５１を支持する支持軸５５とを有している。
クリーニング部５１は、塗布対象部位以外に付着したメイクアップ化粧料に直接接触させる部分である。
本実施形態のマスカラ液用複合容器１においては、クリーニング部５１は、クリーナー収容部４に収容されている一方、支持軸５５は、それとは別の支持軸収容部３４に収容されている。そのため、化粧料クリーナー５を使用する際には、容器本体２から収容部形成体４１を取り外してクリーニング部５１を露出させると共に、化粧料塗布具３の把持部３２からクリーナー把持部５６を取り外して支持軸５５を露出させ、図３及び図４に示すように、露出させた支持軸５５の先端部に、クリーニング部５１を固定して用いる。
【００１７】
図３に示すクリーニング部５１は、平面視形状が長方形状であり、支持軸５５より幅広で且つ扁平な形状を有している。また、クリーニング部５１は、その長手方向を支持軸５５の長手方向とを一致させ、支持軸５５から長手方向に延びるように固定されている。
【００１８】
図３に示すように、クリーニング部５１は、塗布対象部位以外に付着したメイクアップ化粧料を拭き取り可能な拭き取り面Ａ，Ａと、塗布対象部位以外に付着したメイクアップ化粧料を掻き取り可能な稜線Ｂとを有している。
具体的には、クリーニング部５１は、互いに平行な２平面５２，５３及び該２平面５２，５３間に位置する外周面５４を有し、該２平面５２，５３それぞれが前記拭き取り可能な拭き取り面Ａであり、該２平面５２，５３それぞれと外周面５４との境界部に生じている稜線が前記掻き取り可能な稜線Ｂである。
【００１９】
本実施形態に係るクリーニング５１によれば、マスカラ液等のメイクアップ化粧料が塗布対象部位以外に付着した場合、拭き取り面Ａを用いて、その付着した液を拭き取ることができると共に、拭き取り面Ａで拭くだけでは、なかなか除去できない汚れ（マスカラ液が固化して強固にこびり付いたもの等）がある場合等には、それを、稜線Ｂを用いて掻き取ることができる。尚、掻き取り後に、固化したマスカラ液等が粉になって肌に残っているような場合、拭き取り面Ａを用いてその粉を拭き取ることもできる。
【００２０】
クリーニング部５１の拭き取り面Ａは、拭き取り作業の容易性及び優れた拭き取り効果を得る観点から、支持軸５５の軸長方向と同方向の長さＬ〔図３（ａ）参照〕が１〜２０ｍｍであることが好ましく、より好ましくは２〜１０ｍｍである。
同様の観点から、拭き取り面Ａは、支持軸５５の軸長方向と直交する方向の幅Ｗ〔最大幅，図３（ａ）参照〕が１〜１０ｍｍであることが好ましく、より好ましくは２〜５ｍｍである。また、一つの拭き取り面Ａの面積は、１〜２００ｍｍ2であることが好ましく、より好ましくは２〜１００ｍｍ2であり、更に好ましくは４〜５０ｍｍ2である。
また、クリーニング部の厚みＴは、拭き取り作業の容易性や多数枚を集積してコンパクトに収納できるようにする観点等から、好ましくは０．３〜５ｍｍであり、より好ましくは０．５〜２ｍｍである。同様の観点から、前記最大幅Ｗとクリーニング部の厚みＴの比（Ｗ／Ｔ）は、好ましくは０．２〜３０であり、より好ましくは１〜１０である。
【００２１】
また、クリーニング部５１の稜線Ｂは、掻き取り作業の容易性及び優れた掻き取り効果を得る観点から、支持軸５５の軸長方向ないしクリーニング部５１の長手方向と概ね同方向に延びていることが好ましく、それらと平行であることがより好ましい。また、稜線Ｂはクリーニング部５１の平面視において直線状ないし緩やかな円弧状をなしていることが好ましく、直線状をなしていることがより好ましい。
また、クリーニング部５１の稜線Ｂは、該稜線Ｂを形成する、その両側の面同士のなす角度α〔図３（ｂ）参照〕が１７０度以下であることが好ましく、１３５度以下であることがより好ましい。
【００２２】
クリーニング部５１の材質は、拭き取り効果及び掻き取り効果が得られる限り特に制限されないが、好ましい材質としては、例えば、綿、麻、パルプ、ウール等の天然繊維、ポリエチレン、ポリプロピレン、ナイロン、ポリエチレンテレフタレート等の合成繊維、ポリウレタン、ポリエチレン、ポリプロピレン、シリコンゴム等の石油系プラスチック、ポリ乳酸等の植物性プラスチック、またこれらを発泡させたもの等が挙げられる。
これらのなかでも、肌に対する負担軽減と良好な吸水性の点から、綿、パルプ、発泡させたポリウレタン、シリコンゴムが好ましい。
尚、支持軸５５は、クリーニング部５１と同じ材質であっても良いし、異なる材質であっても良い。本実施形態のように、一の支持軸５５に多数のクリーニング部を順次固定して使用する場合には、該支持軸５５は、繰り返して使しても強度等の劣化が少ない材料、例えばプラスチックや金属、これらの複合体等からなることが好ましい。
【００２３】
本実施形態のマスカラ液用複合容器１においては、化粧料塗布具３の把持部３２を手で掴むか摘んで、図２に示すように、容器本体２から支持軸３３及び塗布部３１を引き抜き、該塗布部３１を用いて、マスカラ液２１のまつ毛に対する塗布作業を行う。
まつ毛以外に付着したマスカラ液を除去する場合には、容器本体２から収容部形成体４１を取り外して、クリーナー収容部内のクリーニング部５１を露出させると共に、クリーナー把持部５６を把持して、該クリーナー把持部５６を把持部３２から取り外す。そして、図３及び図４に示すように、支持軸５５の先端部に、クリーニング部５１を突き刺して固定する。
【００２４】
そして、クリーナー把持部５６を手で掴むか摘んで、クリーニング部５１の拭き取り面Ａ及び稜線Ｂを用いて、拭き取り及び／又は掻き取り作業を行う。
一枚のクリーニング部５１では充分に除去できない場合や、２回目以降の作業を行う場合には、支持軸５５から、使用済みのクリーニング部５１を取り外した後、同じ支持軸５５に対して新しいクリーニング部５１を固定する。そして、再び拭き取り及び／又は掻き取り作業を行う。
【００２５】
本実施形態の化粧料クリーナー５によれば、クリーニング部５１の拭き取り面Ａによる高い拭き取り効果と、稜線Ｂによる高い掻き取り効果とが得られるため、それらを適宜の順に使い、マスカラ汚れ等を効果的に除去することができる。
また、本実施形態のマスカラ液用複合容器１によれば、マスカラ液の塗布と、該マスカラ液が塗布対象部位以外に付着した場合のマスカラ汚れの除去とを効率良く手軽に行うことができる。また、本実施形態のマスカラ液用複合容器１は、携帯にも便利であり、外出先等、様々な場所で、メイクアップ化粧料の塗布と、該メイクアップ化粧料が塗布対象部位以外に付着した場合の除去とを行うことができる。
【００２６】
図５は、本発明に係る化粧料クリーナーの他の実施形態を示す斜視図である。
図５に示す化粧料クリーナー５Ａ〜５Ｄは、クリーニング部５１と支持軸５５とが一体成形されてなるものであり、図３に示す化粧料用クリーナー５と同様に、クリーニング部５１とそれを支持する棒状の支持軸５５とを有する。クリーニング部５１は支持軸５５より幅広であり、化粧料用クリーナー５Ａ〜５Ｄは、支持軸５５を手で直接摘んでマスカラ汚れ等の除去作業を行うことができる。
【００２７】
化粧料クリーナー５Ａのクリーニング部５１は、楕円形状の拭き取り面Ａ及び円弧状の稜線Ｂを有する。化粧料クリーナー５Ｂのクリーニング部５１は、長方形又は正方形状の拭き取り面Ａ及び直線状の稜線Ｂを有する。化粧料クリーナー５Ｃのクリーニング部５１は、台形状の拭き取り面Ａ及び直線状の稜線Ｂを有する。化粧料クリーナー５Ｄのクリーニング部５１は、星形の拭き取り面Ａを有し、短い稜線Ｂがジグザグに連なっている。
【００２８】
図５に示す化粧料クリーナー５Ａ〜５Ｄは、拭き取り用の拭き取り面Ａとして、互いに平行な２平面を有しており、支持軸５５を含めて厚みは均一である。
図３に示す化粧料クリーナーのように、別体のクリーニング部５１と支持軸５５とを結合状態として使用するようにした場合においても、クリーニング部５１の形状を、図５に示す化粧料クリーナーのクリーニング部５１のような形状とすることもできる。
【００２９】
図６は、本発明の化粧料用複合容器の他の実施形態を示す縦断面図である。
図６に示す化粧料用複合容器については、上述したマスカラ液用複合容器１と異なる点について主として説明し、同様の点については、同様の部材に同一の符号を付して説明を省略する。特に説明しない点は、マスカラ液用複合容器１についての説明が適宜適用される。
【００３０】
図６（ａ）に示すマスカラ液用複合容器１Ａは、化粧料塗布具３の把持部３２内に、クリーニング部５１を多数集積状態で収容したクリーナー収容部４を有している。化粧料塗布具３の把持部３２は、クリーナー収容部４を内部に有するクリーナー収容部形成体４１と、クリーナー収容部形成体４１の一端に脱着可能に螺合又は嵌合した支持軸収容部形成体３５とからなる。クリーナー収容部形成体４１は、マスカラ液２１を収容した容部本体２の開口部２２を液密に塞ぐ蓋体としても機能し、支持軸収容部形成体３５は、クリーナー収容部４の蓋体としても機能している。
マスカラ液用複合容器１Ａにおける支持軸収容部３４には、化粧料クリーナーの支持軸５５が、その先端部にクリーニング部５１が脱着可能に固定された状態で収容されている。
【００３１】
マスカラ液用複合容器１Ａにおいては、把持部３２を手で掴むか摘んで、容器本体２から支持軸３３及び塗布部３１を引き抜き、該塗布部３１を用いて、マスカラ液２１のまつ毛に対する塗布作業を行う。そして、まつ毛以外にマスカラ液が付着した場合、支持軸収容部形成体３５からクリーナー把持部５６を取り外して、支持軸５５及びクリーニング部５１を露出させる。そして、クリーナー把持部５６を手で摘み、該クリーニング部５１を用いて、拭き取り及び／又は掻き取り作業を行う。一枚のクリーニング部５１では充分に除去できない場合や、２回目以降の作業を行う場合には、支持軸収容部形成体３５とクリーナー収容部形成体４１との間を分離し、クリーナー収容部形成体４１内のクリーニング部５１を露出させる。
そして、使用済みのクリーニング部５１を取り外した後の支持軸５５に対して新しいクリーニング部５１を固定し、再び拭き取り及び／又は掻き取り作業を行う。
【００３２】
図６（ｂ）に示すマスカラ液用複合容器１Ｂにおいては、化粧料塗布具３の把持部３２の一部がクリーナー把持部５６を兼ねている。即ち、化粧料塗布具３の把持部３２は、円柱状の把持部形成体５６’と、その一端に脱着可能に螺合又は嵌合した支持軸収容部形成体３５とからなる。把持部形成体５６’は、マスカラ液２１を収容した容器本体２の開口部２２を液密に塞ぐ蓋体、化粧料塗布具３を用いて化粧料の塗布作業を行う際の把持部、及び化粧料クリーナーを用いて、塗布対象部位以外に付着した汚れの除去作業を行う際の把持部としても機能する。
マスカラ液用複合容器１Ｂにおけるクリーナー収容部４は、支持軸収容部形成体３５の一端部に、クリーナー収容部形成体４１を脱着可能に嵌合又は螺合させて形成されている。
【００３３】
マスカラ液用複合容器１Ｂにおいては、把持部３２を手で掴むか摘んで、容器本体２から支持軸３３及び塗布部３１を引き抜き、該塗布部３１を用いて、マスカラ液２１のまつ毛に対する塗布作業を行う。まつ毛以外にマスカラ液が付着した場合、把持部形成体５６’と支持軸収容部形成体３５とを分離して、支持軸５５及びクリーニング部５１を露出させる。そして、クリーナー把持部５６を手で摘み、拭き取り及び／又は掻き取り作業を行う。一枚のクリーニング部５１では充分に除去できない場合や、２回目以降の作業を行う場合には、支持軸収容部形成体３５とクリーナー収容部形成体４１とを分離し、多数集積されたクリーニング部５１を露出させる。
そして、使用済みのクリーニング部５１を取り外した後の支持軸５５に対して新しいクリーニング部５１を固定し、再び拭き取り及び／又は掻き取り作業を行う。
このように、マスカラ液用複合容器１Ａ，１Ｂによっても、マスカラ液の塗布と、該マスカラ液が塗布対象部位以外に付着した場合のマスカラ汚れの除去とを効率良く手軽に行うことができる。
【００３４】
以上、本発明をその好ましい幾つかの実施形態に基づき説明したが、本発明は上述した実施形態に制限されない。
例えば、クリーニング部の平面視形状は、上述した各実施形態における形状に代えて、菱形形状、平行四辺形状、長円状、円状等の他の形状とすることもできる。また、クリーニング部の形状を円柱形状やコイン状とすることもできる。さらに、クリーニング部は、図３（ｂ）に示すように、支持軸に直交する方向の断面形状が、扁平長方形状のものに代えて、図７（ａ）や図７（ｂ）に示すような形状であっても良い。図７（ａ）に示すクリーニング部５１は、断面形状が緩やかな円弧状をなす２つの拭き取り面Ａ，Ａと、両拭き取り面Ａ，Ａ間に位置する外周面５４とを有し、拭き取り面Ａと外周面５４との間が稜線Ｂとなっている。図７（ｂ）に示すクリーニング部５１は、断面形状が緩やかな円弧状をなす２つの拭き取り面Ａ，Ａを有し、２つの拭き取り面Ａ，Ａが、それぞれの幅方向の端部で直接結合して稜線Ｂが形成されている。
【００３５】
図８は前述のクリーニング部の形状がコイン状の場合の斜視図である。図８（ａ）は、有底円筒状の収容部形成体４１の内部に形成されたクリーナー収容部４に、コイン状のクリーニング部５１が収容されている外観図であり、図８（ｂ）はクリーニング部５１の収容状態をわかり易くするための部分断面図である。
図８に示すクリーニング部５１は、平面視形状が円形状であり、塗布対象部位以外に付着したメイクアップ化粧料を拭き取り可能な拭き取り面Ａと、塗布対象部位以外に付着したメイクアップ化粧料を掻き取り可能な稜線Ｂとを有している。
具体的には、クリーニング部５１は、互いに平行な２平面５２，５３及び該２平面５２，５３間に位置する外周面５４を有し、該２平面５２，５３それぞれが前記拭き取り可能な拭き取り面Ａであり、該２平面５２，５３それぞれと外周面５４との境界部に生じている稜線が前記掻き取り可能な稜線Ｂである。
【００３６】
図９は前述のクリーニング部の形状が円柱形状の場合の斜視図であり、有底円筒状の収容部形成体４１の内部に形成されたクリーナー収容部４に該クリーニング部５１が収容されている状態が示されている。図９に示すクリーニング部５１は、塗布対象部位以外に付着したメイクアップ化粧料を拭き取り可能な拭き取り面Ａと、塗布対象部位以外に付着したメイクアップ化粧料を掻き取り可能な稜線Ｂとを有している。
具体的には、クリーニング部５１は、円柱の側面部分が拭き取り面Ａであり、該拭き取り面Ａと円柱の天面部５７との境界部に生じている稜線が前記掻き取り可能な稜線Ｂである。
図８や図９に示す収容部形成体４１は、上述したマスカラ液用複合容器１，１Ａ，１Ｂの収容部形成体４１と同様の態様で化粧料用複合容器に組み込むことができ、更に他の態様で化粧料用複合容器に組み込むこともできる。
【００３７】
また、本発明の化粧料用複合容器は、図５に示す化粧料用クリーナーのように、クリーニング部５１と支持軸５５とが一体のものを、クリーナー収容部に多数積層状態で収容したものであっても良い。尚、化粧料用複合容器のクリーナー収容部内に集積状態で収容するクリーニング部の枚数は、２枚以上であり、好ましくは８〜３０枚、より好ましくは１０〜１５枚である。
また、化粧料塗布具としては各種公知のものを用いることができる。例えば、塗布部３１は、毛材を軸の周囲に放射状を設けた円筒ブラシ状のものや、櫛歯状の突起を有するもの、円柱状の軸の周面上に、該軸と交差する方向に延びる多数の溝部、例えばコイルの軌跡を描く溝部を形成し、該溝部内にマスカラ薬剤を貯留するようにしたもの等を用いることができる。
【００３８】
また、上述した実施形態における支持軸５５は、クリーニング部５１に突き刺すことによって、該クリーニング部５１を固定するものであったが、他の方法によって、クリーニング部５１を固定するようにしても良い。例えば、支持軸５５の先端部に、クリーニング部の厚みより狭い幅に離間した２枚の挟持体を設け、これらの挟持体間にクリーニング部５１を挟持させて固定するようにしたり、クリーニング５１の端部に支持軸５５の先端部と嵌合する嵌合凹部や支持軸５５の先端部と螺合する螺合部を設けて固定するようにしたり、支持軸５５の先端部に、クリーニング部５１の端部に嵌合する嵌合凹部を形成し、該嵌合凹部にクリーニング５１の端部を押し込んで固定するようにしたりすることができる。
【００３９】
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００４０】
【図１】図１は、本発明の化粧料用複合容器の一実施形態としてのマスカラ液用複合容器１を示す縦断面図である。
【図２】図２は、図１に示すマスカラ液用複合容器を分離可能な各部分に分離した状態を示す図である。
【図３】図３（ａ）は、本発明の一実施形態である化粧料用クリーナーを、支持軸とクリーニング部とを結合させた状態として示す斜視図であり、図３（ｂ）は、図３（ａ）のＩＩ−ＩＩ線断面図である。
【図４】化粧料用クリーナーの支持軸にクリーナー収容部内のクリーニング部を結合させる様子を示す斜視図である。
【図５】本発明の化粧料用クリーナーの他の実施形態を示す斜視図である。
【図６】図６（ａ）及び（ｂ）は、それぞれ、本発明の化粧料用複合容器の他の実施形態を示す縦断面図である。
【図７】図７は、本発明に係る化粧料用クリーナーの他の実施形態を示す断面図〔図３（ｂ）相当図〕である。
【図８】図８は、本発明の更に他の実施形態におけるクリーニング部及びクリーナー収容部を示す図であり、図８（ａ）は、クリーナー収容部内にクリーニング部が積層状態で収容されている状態を示す斜視図、図８（ｂ）は、その部分断面図である。
【図９】図９は、本発明の更に他の実施形態におけるクリーニング部及びクリーナー収容部を示す斜視図である。
【符号の説明】
【００４１】
１，１Ａ，１Ｂ  マスカラ用複合容器（化粧料用複合容器）
２  容器本体
２１  マスカラ液（メイクアップ化粧料）
３  化粧料塗布具
３１  塗布部
３２  把持部
３３  支持軸
４  クリーナー収容部
４１  収容部形成体
５，５Ａ〜５Ｄ  化粧料用クリーナー
５１  クリーニング部
５２，５３  互いに平行な２平面
５４  外周面
５５  支持軸
５６  クリーナー把持部
Ａ  拭き取り用の拭き取り面
Ｂ  掻き取り用の稜線
【図１】
0005226298.tif 000002
【図２】
0005226298.tif 000003
【図３】
0005226298.tif 000004
【図４】
0005226298.tif 000005
【図５】
0005226298.tif 000006
【図６】
0005226298.tif 000007
【図７】
0005226298.tif 000008
【図８】
0005226298.tif 000009
【図９】
0005226298.tif 000010